(57)【要約】 【課題】  幕板の外部に面する側に付属物を設けたり加工を施すことなく、容易にコード類の挿通開口を設けることができる幕板付き机を提供すること。【解決手段】  幕板８の両側端縁は中央脚５とこの中央脚の一側に配設された側脚にそれぞれ形成した上下方向の縦条溝に摺動自在に支持され、幕板８の上端縁が天板２の近傍となる上部位置と、天板２の下面から離間する下部位置で幕板８が係止できるように幕板８の両側がそれぞれの側脚の内方に固着される構成とすることで、必要に応じて下部位置にある幕板８の上方からコード等の線状体を挿通させることができる。【選択図】  図６
2005137707.tif 000002
【特許請求の範囲】
【請求項１】
天板を支持する脚の間に幕板を配設した幕板付き机であって、前記幕板の両側端縁は２つの脚にそれぞれ形成した上下方向の溝条に摺動自在に支持され、該幕板の上端縁が天板の近傍となる上部位置と、天板の下面から離間する下部位置で幕板が係止できるように幕板の両側がそれぞれの脚内方で固着されることを特徴とする幕板付き机。
【請求項２】
前記机は天板両側の側脚と該側脚間に配置した中央脚を有し、一方の側脚と中央脚及び他方の側脚と中央脚それぞれに摺動自在の幕板が配設されている請求項１に記載の幕板付き机。
【請求項３】
前記脚上部には脚間を連結する上部フレームが幕板の内方側に取り付けられ、該上部フレームの上部には、幕板の上部位置でその上端縁が嵌合できる下方に開口した溝条が形成されている請求項１または２に記載の幕板付き机。
【請求項４】
前記上部フレームと天板との間にはコード挿通空間が形成され、上部フレームと幕板には天板の下方位置に設けた配線ダクトを着脱自在に係止できる配線ダクト係合部が設けられている請求項３に記載の幕板付き机。
【発明の詳細な説明】
【技術分野】
【０００１】
本発明は、天板を支持する脚の間に幕板を配設した幕板付き机に関する。
【背景技術】
【０００２】
従来より、机の下方を外部の視界から遮る物として天板を支持する２つの脚間に幕板を配設することは知られている。しかしこれら幕板は脚に固定されているために、外方から天板下方に、或いは逆に天板下方から外部に電話線や各種器具用の電源コード類等、その他各種線状体を幕板を介して通過させなければならない場合に、幕板に挿通口を形成してコード類を通していたが、見栄えが悪くしかもたくさんのコードを通すためには大きな挿通口を形成しておかなければならなかった。そのため幕板を迂回してコード類等を配設するようにしたものもあるが、必要以上に長いコードを必要とした。
【０００３】
このような事態を避けるために、幕板の上部に塞板を上下移動可能に取付け、コード類を幕板を介して通過させる場合に、塞板を下に降ろした状態にして幕板上部に幅方向の間隙を作り、この間隙からコード類を挿通させるようにしたものも既に開発されている。（特許文献１参照）。
【０００４】
【特許文献１】実願昭６１−１３３７３５号（実開昭６３−４１２２８号公報）のマイクロフィルム（第１図）。
【発明の開示】
【発明が解決しようとする課題】
【０００５】
しかしながら、従来のこのような塞板を上下に移動可能とするものは、移動調整のためのねじや長穴が幕板の外方部に面して直接設けられているので、見栄えが悪いばかりでなく、子供が長穴に指を挟んだりする恐れもあった。
【０００６】
本発明は、このような問題点に着目してなされたもので、幕板の外部に面する側に付属物を設けたり加工を施すことなく、容易にコード類等の各種線状体の挿通開口を設けることができる幕板付き机を提供することを目的とする。
【課題を解決するための手段】
【０００７】
上記の目的を解決するために、本発明の請求項１に記載の幕板付き机は、天板を支持する脚の間に幕板を配設した幕板付き机であって、前記幕板の両側端縁は２つの脚にそれぞれ形成した上下方向の溝条に摺動自在に支持され、該幕板の上端縁が天板の近傍となる上部位置と、天板の下面から離間する下部位置で幕板が係止できるように幕板の両側がそれぞれの脚内方で固着されることを特徴としている。
この特徴によれば、幕板の上下方向の移動は脚に形成した溝条で行い、その上下位置の固定は脚の内方で行われるので、幕板の外方に面する側は平板状のままで、何等加工を施したり付属物を取付ける必要がないので、見栄えも良く安全である。
【０００８】
本発明の請求項２に記載の幕板付き机は、請求項１に記載の幕板付き机であって、前記机は天板両側の側脚と該側脚間に配置した中央脚を有し、一方の側脚と中央脚及び他方の側脚と中央脚それぞれに摺動自在の幕板が配設されていることを特徴としている。
この特徴によれば、長大な、或いは曲線形状の机であっても、中央脚を介して幕板を区切って設けられるので、必要な箇所だけ幕板を下げて用いることができる。
【０００９】
本発明の請求項３に記載の幕板付き机は、請求項１または２に記載の幕板付き机であって、前記脚上部には脚間を連結する上部フレームが幕板の内方側に取付けられ、該上部フレームの上部には、幕板の上部位置でその上端縁が嵌合できる下方に開口した溝条が形成されていることを特徴としている。
この特徴によれば、上部フレームが机の強度を向上させるとともに、幕板が上部位置にあるときの幕板上端縁の目隠しとなるので見栄えがよい。
【００１０】
本発明の請求項４に記載の幕板付き机は、請求項３に記載の幕板付き机であって、前記上部フレームと天板との間にはコード挿通空間が形成され、上部フレームと幕板には天板の下方位置に設けた配線ダクトを着脱自在に係止できる配線ダクト係合部が設けられていることを特徴としている。
この特徴によれば、いずれかの配線ダクト係合部に配線ダクトを係止させることにより、多くのコード類を天板下に束ねておけるので、足下が邪魔にならないように天板下の空間を整理することができる。
【発明を実施するための最良の形態】
【００１１】
本発明の実施例を以下に説明する。
【実施例１】
【００１２】
本発明の実施例を図面に基づいて説明すると、先ず図1は本発明の実施例における膜板付き机の斜視図、図２は配線の取出し状態を示した図１のＡ部拡大図、図３の（ａ）は膜板付き机の膜板を閉じた状態を示す側面図、（ｂ）は膜板付き机の膜板を下方に開放した状態を示す側面図、図４は図１のＢ−Ｂ断面図、図５は図１のＣ−Ｃ断面図、図６は図５の詳細図で（ａ）は幕板が上部位置にあり、（ｂ）は幕板が下部位置にある状態を示す。図７は脚間に取付けられる上部フレームの取付け状態を示す一部分解斜視図である。
【００１３】
図1に示すように、本発明の膜板付き机１は、平面視Ｌ字形に形成された天板２と、この天板２の両端を支持する２本の側脚４ａ，４ｂと、これら２本の側脚４ａ，４ｂの中間にあって天板２の中央角部を支持する中央脚５と、この中央脚５と両側の側脚４ａ，４ｂの対向する側面に上下方向に形成された後述する縦条溝１６、１６（図４参照）に上下方向に摺動自在に支持され、上部または下部位置でこの両脚に固着される膜板６，８とから構成されている。
【００１４】
図４に示したように、膜板８の両端は、側脚４ａの縦条溝１６と中央脚５の縦条溝１６摺動可能に支持され、膜板８の両端は、膜板８の裏面に設けられた一対の舌片１８，１８を介して両側脚４ａ，５の対向する内側面にビスＢを介して固着されるようになっている。
【００１５】
したがって、幕板８を取付けた状態では、舌片１８，１８やビスＢは幕板により遮蔽されて外部から見えない。中央脚４ともう一つの側脚４ｂに対しても幕板６は同様の取付支持手段が採用されている。
【００１６】
また、図１に示すように、中央脚５と対向配置される側脚４ｂ間、及び中央脚５と対向配置される側脚４ａ間の上端にはアルミの引抜き材で成形された上部フレーム２２と２３が取付けられている。
【００１７】
図７には、上部フレーム２２の取付構造が示されており、側脚４ａ上端にブラケット３４が立設状態で取付けられている。すなわち、ブラケット３４は、このブラケット３４下端の差込部３４ｂが側脚４ａの上端開口から内挿され、この差込部３４ｂのネジ孔ｈに側脚４ａ上端側面に設けた上下の取付孔Ｈから挿通した２本のビスＢを螺着することで立設支持される。
【００１８】
そして、立設支持されたブラケット３４の取付片３４ａには上部フレーム２２の一端が取付けられるようになっている。すなわち、取付片３４ａにはネジ孔ｈが形成されており、この取付片３４ａは、上部フレーム２２の外側面に形成された段付き部２８ａ下方に凹設された当接面２８に当接させた状態で、上部フレーム２２の内側面から取付孔Ｈを介して挿通したビスＢを取付片３４ａに形成されたネジ孔ｈに螺着することで、上部フレーム２２の一端がブラケット３４を介して側脚４ａ上端に取付けられる。
【００１９】
同様に、上部フレーム２２の他端側も中央脚５の上端に立設支持された図示しないブラケットを介して取付けることができ、他方の上部フレーム２３も同様の取付構造により側脚４ｂに取付けられている。  
【００２０】
次に、上部フレームに付き図５を参照して詳述する。図５には、上部フレーム２２の断面図が示されており、上部フレーム２２の上端縁には内方に向けて開口し、この開口内には上方に向く係止溝２２ａが形成されると共に、係止溝２２ａ下方内方には上方に開口した係止溝２２ｃが形成されている。
【００２１】
また、係止溝２２ａ直下には下方に開口した溝条２２ｂが形成されている。そして、上部フレーム２２の下方天板側には配線ダクト２６を係止するための上方が開口した溝構成の配線ダクト係合部２２ｄが形成されている。
【００２２】
上記のように上部フレーム２２を構成することで、コード挿通空間２０の上方を塞ぐ閉塞カバー２５は、その後端側に形成した上部係止部２５ａが係止溝２２ａに、下部係止部２５ｂが係止溝２２ｃにそれぞれ係止することで、天板２の外方端縁に沿って水平に保持されている。また、溝条２２ｂは、膜板８が上部位置にあるときに幕板の上縁部が嵌合できるようになっているので、膜板８の上縁部の目隠しとして機能している。
【００２３】
また、膜板付き机１は、図１および図５に示すように、天板２の両側端を支持する側脚４ａ，４ｂの上下両端には、上部天板支持枠１２と下部ベース枠体１０がそれぞれ平行に取付けられており、これら上部天板支持枠１２と下部ベース枠体１０の略中間部には支柱（図示せず）が取付けられている。そして、上部天板支持枠１２で天板２側端の下面を支持すると共に、下部ベース枠体１０は床面Ｆに載置されている。
【００２４】
次に、膜板の構成に付き図５、図６及び図７を参照して説明する。
【００２５】
膜板は、一方の側脚４ａと中央脚５の間に取付けられる膜板８と、他方の側脚４ｂと中央脚５の間に取付けられる膜板６とから成り、これら膜板６，８の上部裏面側には、図５に示すように、上部フレーム２２外側面に形成される段付き部２８ａの段差に対応するよう中空状に形成された所定厚みの補強フレーム２４が横方向に接合されており、補強フレーム２４の上端には上方に開口する配線ダクト係合部２４ａが形成されている。
【００２６】
幕板６と８は同じ構造であるのでここでは一方の幕板６について述べる。膜板６の両端は、中央脚５と側脚４ｂの対向する側面の縦条溝１６に上下に摺動可能に支持されており、膜板６両端の裏面に設けられる一対のブラケット６ａ（一方のみ図６に図示）の上下端部には一対の取付孔Ｈが所定間隔で配設されている。
【００２７】
これら一対の取付孔Ｈは、図６の（ａ），（ｂ）に示されるように、予め両脚の対向面の上下に所定間隔で形成された３個のネジ孔ｈの間隔に対応する間隔で形成されており、これら３個のネジ孔ｈの上部の２個は、膜板６が上部位置にきたときの膜板６のブラケット６ａに形成された２個の取付孔Ｈに対応し、下部の２個は、膜板６が下部位置にきたときの膜板６のブラケット６ａに形成された２個の取付孔Ｈに対応するようになっている。
【００２８】
次に、上記のように構成された幕板付き机１における幕板の作用に付き説明する。
【００２９】
まず、図１に示されるように、幕板８を中央脚５と側脚４ａの対向する側面の縦条溝１６に沿って下部位置に移動し、両脚５，４ａに設けた下方に配設した２つのネジ孔ｈにビス固定される。これにより、図２に示されるように、配線コード３２を通過できる空間が大きく形成され、複数のコードが挿通可能となる。
【００３０】
そしてこの幕板８に対設して、隣に幕板が上下できる机を設置した場合に、この設置した隣の机の幕板も同様に下方位置に下げて固定しておけば、配線コードは隣の机の天板下方に侵入させることができ、２つの机を密接させれば、配線コードの配線状態が視界から完全に遮断される。
【００３１】
一方、配線コード類を隣の机の方に導出しない場合には、幕板８を中央脚５と側脚４ａの対向する側面の縦条溝１６に沿って上部位置に移動させ、２個の取付孔Ｈを介して両脚５，４ａに設けた上方に配設した２つのネジ孔ｈにビス固定すればよい。これにより、幕板は完全に天板下部を隠蔽し本来の幕板機能を奏することになる。隣り合う机を幕板６側で対設するように配置した場合には、幕板８を上部位置にし両机の幕板６を下部位置に固定すれば、同様に配線コードの配線状態は視界から遮断できる。
【００３２】
そして、例えば膜板６を下方に移動したときは、上部フレーム２２裏面の配線ダクト係合部２２ｄに係止された配線ダクト２６を取り外し、図６（ｂ）に示した如く、膜板６裏面の補強フレーム２４に形成された配線ダクト係合部２４ａに係止する。このように配線ダクト２６を移設することで、天板下に取り入れた配線コード類を配線ダクト２６に保持させて足下が邪魔にならないように天板下の空間を整理することができる。幕板６が上方位置にある場合は、配線ダクト２６を上方フレーム２２の配線ダクト係合部２２ｄに係止し、天板上面側に導出するコード類を配線ダクト２６を介して上部位置で保持させることができる。
【００３３】
従って、前記のように構成された幕板付き机によれば、膜板６，８の両側端縁が、２つの脚４ａ，５または脚４ｂ，５にそれぞれ形成した上下方向の縦条溝１６に摺動自在に支持され、これら幕板６，８の上端縁が天板２の近傍となる上部位置と、天板２の下面から離間する下部位置で幕板６，８が係止できるように幕板６，８の両側がそれぞれの脚４ａ，５または４ｂ，５の内方で固着されるので、幕板６，８の外方に面する側は平板状のままで、何等加工を施したり付属物を取付ける必要がなく安全である。
【００３４】
また、幕板付き机１が、天板２両側の側脚４ａ，４ｂとこれら側脚４ａ，４ｂ間に配置した中央脚５を有し、一方の側脚４ａと中央脚５及び他方の側脚４ｂと中央脚５それぞれに摺動自在の幕板６，８が配設されているので、長大な、或いは曲線形状の机であっても、中央脚５を介して幕板６，８を区切って設けられるので、必要な箇所だけ幕板６または８を下げて用いることができる。
【００３５】
そして、脚４ｂ，５及び却５，４ａの上部には２つの脚間を連結する上部フレーム２２，２３が幕板６，８の内方側に取付けられ、この上部フレーム２２，２３の上部には、幕板６，８の上部位置でその上端縁が嵌合できる下方に開口した溝条２２ｂが形成されているので、上部フレーム２２，２３が机の強度を向上させるとともに、幕板６，８が上部位置にあるときの幕板６，８上端縁の目隠しとなるので見栄えがよい。
【００３６】
そしてまた、上部フレーム２２，２３及び幕板６，８には天板２の下方位置に係止できる配線ダクト２６と係合する配線ダクト係合部２２ｄ，２４ａが形成されているので、配線ダクト２６を幕板の上下位置に応じて移設することができ、多くのコード類を天板２の下方に束ねておけるため、足下が邪魔にならないように天板２下方の空間を整理することが可能となる。
【００３７】
以上、本発明の実施例を図面により説明してきたが、具体的な構成はこれら実施例に限られるものではなく、例えば、中央脚のある平面視Ｌ字形の机に代えて、平面視矩形状の机に対しても適用できることは言うまでもない。
【図面の簡単な説明】
【００３８】
【図１】本発明の実施例における膜板付き机の斜視図である。
【図２】配線の取出し状態を示した図１のＡ部拡大図である。
【図３】（ａ）は膜板付き机の膜板を閉じた状態を示す側面図、（ｂ）は膜板付き机の膜板を下方に開放した状態を示す側面図である。
【図４】図１のＢ−Ｂ断面図である。
【図５】図１のＣ−Ｃ拡大断面図である。
【図６】図５の詳細図で（ａ）は幕板が上部位置にあり、（ｂ）は幕板が下部位置にある状態を示す。
【図７】脚間に取付けられる上部フレームの取付け状態を示す一部分解斜視図である。
【符号の説明】
【００３９】
１                      膜板付き机
２                      天板
４ａ，４ｂ              側脚
５                      中央脚
６，８                  幕板
６ａ                    ブラケット
１０                    下部ベース枠体
１２                    上部天板支持枠
１６                    縦条溝
１８，１８              舌片
２０                    コード挿通空間
２２，２３              上部フレーム
２２ａ，２２ｃ          係止溝
２２ｂ                  溝条
２２ｄ                  配線ダクト係合部
２４                    補強フレーム
２４ａ                  配線ダクト係合部
２５                    閉塞カバー
２５ａ                  上部係止部
２５ｂ                  下部係止部
２６                    配線ダクト
２８                    当接面
２８ａ                  段付き部
３２                    配線コード
３４                    ブラケット
３４ａ                  取付片
３４ｂ                  差込部
Ｂ                      ビス
Ｆ                      床面
Ｈ                      取付孔
ｈ                      ネジ孔
【図１】
2005137707.tif 000003
【図２】
2005137707.tif 000004
【図３】
2005137707.tif 000005
【図４】
2005137707.tif 000006
【図５】
2005137707.tif 000007
【図６】
2005137707.tif 000008
【図７】
2005137707.tif 000009